(57)【特許請求の範囲】
【請求項１】
ディスクの記録または再生いずれか一方或いは両方の情報処理のためにディスクを走査するピックアップにギヤ列を介して駆動源から駆動力を伝えるディスク再生装置において、
前記ピックアップに固定して前記ギヤ列に係合することで前記駆動源からの駆動力を伝達するラックギヤと、
前記ラックギヤと前記ギヤ列とのギヤバックラッシを防止するために前記ピックアップまたはラックギヤを付勢するピックアップバネと、
前記ギヤ列に設けられてピッチ円径をスパイラル状に徐々に小径に形成して前記ピックアップバネの付勢力に応じて前記ラックギヤへ伝えるギヤ比を変化させることで前記駆動源に加わるバネ荷重を均一化するピックギヤとを備えたことを特徴とするディスク再生装置。
【請求項２】
請求項１に記載のディスク再生装置において、
前記ピックアップバネは前記ピックアップまたはラックギヤを前記ディスクの外周から内周方向に付勢し、前記ピックギヤは係合した前記ピックアップのラックギヤを外周方向に送るのに従って前記ピッチ円径を小径にしてギヤ比を変化させることを特徴とするディスク再生装置。
【請求項３】
請求項１に記載のディスク再生装置において、
前記ピックアップバネは前記ピックアップまたはラックギヤを前記ディスクの内周から外周方向に付勢し、前記ピックギヤは係合した前記ピックアップのラックギヤを内周方向に送るのに従って前記ピッチ円径を小径にしてギヤ比を変化させることを特徴とするディスク再生装置。
【請求項４】
請求項１乃至３のいずれに記載のディスク再生装置において、
前記ラックギヤは、前記ピックギヤのピッチ円径が小径に変化するのに応じて噛み合うように徐々に傾斜させて突出するように設けたことを特徴とするディスク再生装置。
【請求項５】
請求項１乃至４のいずれに記載のディスク再生装置において、
前記駆動源は、前記ラックギヤに駆動力を伝達するとともに、前記ディスクのチャッキング動作と、浮遊（フローティング）状態の固定動作とを同時に駆動させることを特徴とするディスク再生装置。
【請求項６】
請求項１乃至５のいずれに記載のディスク再生装置において、
前記ディスクは、ＭＤ、ＣＤ、ＤＶＤ、ＭＯなどの記録媒体であり、このディスクの情報処理を車載用、携帯用、据え置き（卓上）用の電子機器本体内で行うことを特徴とするディスク再生装置。
【発明の詳細な説明】
【０００１】
【発明の属する技術分野】
本発明はディスク再生装置に関する。
【０００２】
【従来の技術】
従来、ディスク再生装置は、例えば、ＭＤ、ＣＤ、ＤＶＤ、ＭＯなどのディスクを収納して再生または記録いずれか一方或いは両方の情報処理を行う車載用、携帯用、据え置き（卓上）用の電子機器本体に用いており、この本体内にピックアップを摺動可能に支持し、ギヤ列を介して減速した駆動源の駆動力を伝達することでディスクの情報を走査する構造がよく知られている。図４は、このような従来のディスク再生装置を示す図である。また、図５は、図１に示したディスク再生装置の送り状態を示す図であり、図５（ａ）はピックアップ２４をディスク１の内周側に送った状態を、図５（ｂ）はピックアップ２４をディスク１の外周側に送った状態を各々示している。
【０００３】
図４に示すように、従来のディスク再生装置は、前述したディスク１の情報処理を行う電子機器本体（図示せず）に採用しており、この本体内に浮遊（フローティング）状態のシャーシ２０を配置して上部に平行する一対の軸２２を備えてピックアップ２４を摺動可能に支持し、このピックアップ２４にギヤ列２８を介して駆動源２７から減速した駆動力を伝達するように形成している。ここで、従来のディスク再生装置は、ピックアップ２４に固定してギヤ列２８に係合することで駆動源２７からの駆動力を伝達するラックギヤ２６と、このラックギヤ２６とギヤ列２８とのギヤバックラッシを防止するためにラックギヤ２６を付勢するピックアップバネ２５とを備えている。
【０００４】
従って、従来のディスク再生装置は、図５（ａ）に示すように、ピックアップ２４により情報処理を行わない場合、ピックアップ２４をディスク１の内周側に摺動させてピックアップバネ２５の付勢力が加わらない状態に停止させる。一方、ピックアップ２４により情報処理を行う場合、駆動源２７からギヤ列２８を介して減速した駆動力をラックギヤ２６に伝達することでピックアップ２４を軸２２に沿って摺動させてディスク１の情報を走査する。この際、ラックギヤ２６は、ピックアップバネ２５により付勢しているため、図５（ｂ）に示すようにピックアップ２４をディスク１の外周に摺動させた場合、ピックアップバネ２５の付勢力によりギヤ列２８とのギヤバックラッシを確実に防止することができる。
【０００５】
このように、従来のディスク再生装置は、ピックアップ２４を軸２２に沿って摺動させる場合、このピックアップ２４のラックギヤ２６をピックアップバネ２５により付勢することで、ギヤ列２８とのギヤバックラッシを確実に防止し、駆動源２７から安定した駆動力を伝達するとともに、ディスク１の記録、再生などの情報処理を安全に実行していた。
【０００６】
【発明が解決しようとする課題】
しかしながら、このような従来のディスク再生装置では、ラックギヤ２６をピックアップバネ２５が内側に付勢してギヤバックラッシを防止するため、ピックアップ２４によるディスク１の内周読み取り時と外周読み取り時とでバネ荷重に大きな差が生じるとともに、駆動源２７に駆動負荷がかかりピックアップ２４の摺動動作に悪影響を与えるという不具合があった。
また、従来のディスク再生装置では、前述したようにディスク１の内外周でバネ荷重の差がありピックアップ２４の摺動動作に悪影響を与えるため、駆動源２７の動作を電気的に制御してピックアップ２４を正確に摺動させる電気的設定が必要になり、装置全体のコストが高くなるという不具合があった。
本発明はこのような課題を解決し、ピックアップバネのバネ荷重に応じてピックアップを良好に摺動することができ、簡単な構造で低コストのディスク再生装置を提供することを目的とする。
【０００７】
【課題を解決するための手段】
本発明は上述の課題を解決するために、ディスクの記録または再生いずれか一或いは両方の情報処理のためにディスクを走査するピックアップにギヤ列を介して駆動源から駆動力を伝えるディスク再生装置であって、ピックアップに固定してギヤ列に係合することで駆動源からの駆動力を伝達するラックギヤと、このラックギヤとギヤ列とのギヤバックラッシを防止するためにピックアップまたはラックギヤを付勢するピックアップバネと、ギヤ列に設けられてピッチ円径をスパイラル状に徐々に小径に形成してピックアップバネの付勢力に応じてラックギヤへ伝えるギヤ比を変化させることで駆動源に加わるバネ荷重を均一化するピックギヤとを備える。
【０００８】
ここで、ピックアップバネはピックアップまたはラックギヤをディスクの外周から内周方向に付勢し、ピックギヤは係合したピックアップのラックギヤを外周方向に送るのに従ってピッチ円径を小径にしてギヤ比を変化させることが好ましい。また、他の実施例として、ピックアップバネはピックアップまたはラックギヤをディスクの内周から外周方向に付勢し、ピックギヤは係合したピックアップのラックギヤを内周方向に送るのに従ってピッチ円径を小径にしてギヤ比を変化させることが好ましい。また、ラックギヤは、ピックギヤのピッチ円径が小径に変化するのに応じて噛み合うように徐々に傾斜させて突出するように設けることが好ましい。また、駆動源は、ラックギヤに駆動力を伝達するとともに、ディスクのチャッキング動作と、浮遊状態の固定動作とを同時に駆動させることが好ましい。また、ディスクは、ＭＤ、ＣＤ、ＤＶＤ、ＭＯなどの記録媒体であり、このディスクの情報処理を車載用、携帯用、据え置き用の電子機器本体内で行うことが好ましい。
【０００９】
【発明の実施の形態】
次に、添付図面を参照して本発明によるディスク再生装置の実施の形態を詳細に説明する。図１は、本発明によるディスク再生装置の実施の形態を示す図である。また、図２は、図１に示したピックギヤ１８ａの送り動作を示す図であり、図２（ａ）はピッチ円径の大径Ｒで送る状態を、図２（ｂ）はピッチ円径の小径ｒで送る状態を各々示している。また、図３は、図１に示したディスク再生装置全体の送り状態を示す図であり、図３（ａ）はピックアップ１４をディスク１の内周側に送った状態を、図３（ｂ）はピックアップ１４をディスク１の外周側に送った状態を各々示している。
【００１０】
図１に示すように、本発明によるディスク再生装置の実施の形態は、図４に示した従来技術と同様に、ＭＤ、ＣＤ、ＤＶＤ、ＭＯなどのディスク１を収納して再生または記録いずれか一方或いは両方の情報処理を行う車載用、携帯用、据え置き（卓上）用の電子機器本体に採用しており、この本体内にシャーシ１０を浮遊（フローティング）状態に配置して上部に平行する一対の軸１２を設けてピックアップ１４を摺動可能に支持するとともに、このピックアップ１４にギヤ列１８を介して駆動源１７から減速した駆動力を伝達するように形成している。また、本実施の形態では、ピックアップ１４に固定してギヤ列１８に係合することで駆動源１７からの駆動力を伝達するラックギヤ１６と、このラックギヤ１６とギヤ列１８とのギヤバックラッシを防止するためにラックギヤ１６を付勢するピックアップバネ１５とを備えている。このピックアップバネ１５は、ラックギヤ１６を付勢することに限定されるものではなく、例えば、ピックアップ１４を付勢しても良い。また、駆動源１７は、ピックアップ１４の摺動動作に加えて図示されていないディスク１を本体内でチャッキングする動作と、シャーシ１０の浮遊（フローティング）状態を固定する動作とを同時に駆動させている。
【００１１】
ここで、本発明によるディスク再生装置の実施の形態は、図４に示した従来技術とは異なり、ギヤ列１８に設けてピッチ円径をスパイラル状に大径Ｒから徐々に小径ｒ（図２参照）に形成してピックアップバネ１５の付勢力に応じてラックギヤ１６へ伝えるギヤ比を変化させて駆動源１７に加わるバネ荷重を均一化するピックギヤ１８ａを備えている。また、ラックギヤ１６は、ピックギヤ１８ａのピッチ円径が小径に変化するのに応じて噛み合うように、徐々に傾斜して突出するように設けている。また、ピックアップバネ１５は、従来技術と同様に、ラックギヤ１６をディスク１の外周から内周方向に付勢し、ギヤ列１８とのギヤバックラッシを防止している。そして、このピックギヤ１８ａは、図２（ａ）に示すように、ラックギヤ１６がピックアップバネ１５により付勢されない状態、即ち、ラックギヤ１６をディスク１の内周側（図１参照）に送った場合、ピッチ円径が大きく駆動力の弱い大径Ｒ側にギヤ比を変化させている。また、ピックギヤ１８ａは、図２（ｂ）に示すように、ラックギヤ１６がピックアップバネ１５により付勢された状態、即ち、ラックギヤ１６をディスク１の外周側（図１参照）に送った場合、ピッチ円径が小さく駆動力の強い小径ｒ側にギヤ比を変化させている。
【００１２】
更に詳しく説明すると、本発明によるディスク再生装置の実施の形態は、図３（ａ）に示すように、ピックアップ１４により情報処理を行わない場合、ピックアップ１４をディスク１の内周側に摺動させてピックアップバネ１５の付勢力が加わらない状態に停止させる。この際、ピックギヤ１８ａは、ラックギヤ１６に噛合してディスク１の内周方向に送り込みピックアップバネ１５の付勢力を徐々に減少させ、この減少に伴って図２に示した駆動力の強い小径ｒから駆動力の弱い大径Ｒにギヤ比を変化させている。ここで、ラックギヤ１６は、ピックギヤ１８ａの小径ｒから大径Ｒに変化するピッチ円径に応じて突出する片側から傾斜して狭くなる他片側に噛合させて送り出される。
【００１３】
一方、ピックアップ１４により情報処理を行う場合、駆動源１７からギヤ列１８を介して減速した駆動力をラックギヤ１６に伝達することでピックアップ１４を軸１２に沿って摺動させてディスク１の情報の走査を実行する。この際、ラックギヤ１６は、図３（ｂ）に示すように、ピックアップ１４をディスク１の外周に摺動させた場合、ピックアップバネ１５により付勢されるため、ギヤ列１８とのギヤバックラッシを確実に防止できる。ここで、ギヤ列１８は、ラックギヤ１６をディスク１の外周側に送る際、駆動源１７からの駆動力とピックアップバネ１５の付勢力とを同時に受けており、これをピックギヤ１８ａがピッチ円径のギヤ比を変化させることで駆動源１７に加わるバネ荷重を均一化している。このピックギヤ１８ａは、ラックギヤ１６を外周側に送るのに従って増加するピックアップバネ１５の付勢力に対し、図２に示した駆動力の弱い大径Ｒから駆動力の強い小径ｒにギヤ比を変化させて駆動源１７にバネ荷重が均一に加わるようにしている。そして、ラックギヤ１６は、ピックギヤ１８ａの大径Ｒから小径ｒに変化するピッチ円径に応じて狭い片側から徐々に傾斜して突出する他の片側に噛合させて送り出される。
【００１４】
このように本発明によるディスク再生装置の実施の形態によると、ギヤ列１８のピックギヤ１８ａがピックアップバネ１５の付勢状態に応じてピッチ円径を大径Ｒまたは小径ｒにギヤ比を変化させるため、ピックアップ１４によるディスク１の内周読み取り時と外周読み取り時とでバネ荷重の差がなくなり、駆動源１７の駆動負荷を均一化でき、これによりピックアップ１４の摺動動作を良好に行うことができる。
また、本発明によるディスク再生装置の実施の形態によると、前述した内外周の読み取り時にバネ荷重の差がないため、駆動源１７の動作を電気的に制御してピックアップ１４を正確に摺動させる電気的設定が不要になり、装置全体のコストを低コストに抑えることができる。
【００１５】
以上、本発明によるディスク再生装置の実施の形態を詳細に説明したが、本発明は前述した実施の形態に限定されるものではなく、その要旨を逸脱しない範囲で変更可能である。
例えば、ピックアップバネがピックアップをディスクの外周から内周方向に付勢したディスク再生装置の実施形態を説明したが、これに限定されるものではなく、例えば、ピックアップバネがピックアップをディスクの内周から外周方向に付勢し、この外周にピックアップを送るのに従ってピックギヤのピッチ円径を大きくすることも可能である。
【００１６】
【発明の効果】
このように本発明によるディスク再生装置によれば、ピックアップバネのバネ荷重に応じてピックアップを良好に摺動することができ、簡単な構造で低コストのディスク再生装置を提供できる。
【図面の簡単な説明】
【図１】本発明によるディスク再生装置の実施の形態を示す図。
【図２】図１に示したピックギヤの送り動作を示す図。
【図３】図１に示したディスク再生装置全体の送り状態を示す図。
【図４】従来のディスク再生装置を示す図。
【図５】図１に示したディスク再生装置の送り状態を示す図。
【符号の説明】
１    ディスク
１０    シャーシ
１２    軸
１４    ピックアップ
１５    ピックアップバネ
１６    ラックギヤ
１７    駆動源
１８    ギヤ列
１８ａ  ピックギヤ
【図１】
0003743786.tif 000002
【図２】
0003743786.tif 000003
【図３】
0003743786.tif 000004
【図４】
0003743786.tif 000005
【図５】
0003743786.tif 000006